(57)【要約】【課題】  大きな通線口が容易に形成できると共に、通線口が不要になれば容易かつ確実に通線口を塞ぐことができ、しかも基礎床面に向けて床パネルの底面から突出する部分のない開口用蓋によりコンセントボックス用開口を塞ぐことのできる床パネルを提供する。【解決手段】  開口用蓋３におけるパネル外周辺11の直交方向の幅がコンセントボックス用開口２のパネル外周辺11の直交方向の幅に低段面21におけるパネル外周辺11の直交方向の幅を合わせた幅よりずらし幅だけ狭くしてなり、開口用蓋３に設けた突起33に対し、コンセントボックス用開口２に設けた標準位置用係合凹部22及び通線位置用係合凹部23の組み合わせに従って、前記ずらし幅内かつパネル外周辺11の直交方向にずれた複数の位置で開口用蓋３を選択的にコンセントボックス用開口２の低段面21へ着脱自在に載置される床パネル１である。【選択図】  図２
2005232808.tif 000002
【特許請求の範囲】
【請求項１】
パネル外周辺から該パネル外周辺の直交方向内向きに形成したコンセントボックス用開口を、該コンセントボックス用開口の開口周縁に形成した低段面へ着脱自在に載置される開口用蓋で閉蓋する床パネルにおいて、開口用蓋は、パネル外周辺に同方向に延びる蓋外周辺と、コンセントボックス用開口の周縁形状に倣った蓋内周辺とに囲まれた平面視形状で、該開口用蓋におけるパネル外周辺の直交方向の幅がコンセントボックス用開口におけるパネル外周辺の直交方向の幅に低段面におけるパネル外周辺の直交方向の幅を合わせた幅より所定範囲で狭くしてなり、開口用蓋及びコンセントボックス用開口それぞれに互いに係合する蓋側係合手段及び開口側係合手段を設け、開口側係合手段を蓋側係合手段の数よりパネル外周辺の直交方向に多く並設することにより、蓋側係合手段に対する開口側係合手段の組み合わせに従って、パネル外周辺の直交方向にずれた複数の位置で開口用蓋を選択的にコンセントボックス用開口の低段面へ着脱自在に載置されることを特徴とする床パネル。
【請求項２】
所定範囲は、パネル外周辺の直交方向の低段面の幅を最大とする請求項１記載の床パネル。
【請求項３】
所定範囲は、パネル外周辺の直交方向の低段面の幅と、ハイヒールの踵が落ち込まない大きさの隙間との和を最大とする請求項１記載の床パネル。
【請求項４】
開口側係合手段は、開口用蓋に設けた蓋側係合手段に対し、蓋側係合手段を係合した開口用蓋が蓋外周辺をパネル外周辺に連続させる標準取付状態となる標準位置と、蓋側係合手段を係合した開口用蓋が蓋外周辺をパネル外周辺の直交方向内向きにずらした通線取付状態となる通線位置とに設けてなり、前記標準位置と通線位置とのパネル外周辺の直交方向の間隔が所定範囲以下である請求項１記載の床パネル。
【請求項５】
蓋側係合手段は、開口用蓋から下方に向けて突設させた突起であり、開口側係合手段は低段面に開口した前記突起を嵌め込む嵌合孔である請求項１記載の床パネル。
【請求項６】
蓋側係合手段は、開口用蓋から下方に向けて突設させた突起であり、開口側係合手段は低段面の面周縁に形成した前記突起を係合させる係合凹部である請求項１記載の床パネル。
【請求項７】
開口用蓋は、蓋外周辺にパネル外周辺の直交方向内向きに凹ませた通線用凹部を有する請求項１の床パネル。
【発明の詳細な説明】
【技術分野】
【０００１】
本発明は、パネル外周辺からこのパネル外周辺の直交方向内向きに形成したコンセントボックス用開口を、このコンセントボックス用開口の開口周縁に形成した低段面へ着脱自在に載置される開口用蓋で閉蓋する床パネルに関する。
【背景技術】
【０００２】
フリーアクセス床は、基礎床面に対し、複数の床パネルを並設して構築する。基礎床面と床パネルとの間の床下空間には、電源ケーブルや通信ケーブルを配設している。このため、使用する床パネルの一部又は全部に、パネル外周辺からこのパネル外周辺の直交方向内向きに形成したコンセントボックス用開口を形成した床パネルが用いられる。コンセントボックス用開口は、コンセントボックスを嵌め込む大きさ又は形状であり、通常、コンセントボックス用開口の開口周縁に形成した低段面へ着脱自在に載置される開口用蓋で閉蓋している。このように、開口用蓋は前記コンセントボックス用開口を閉蓋することが第一であるが、コンセントボックス用開口への装着安定性を確保したり、電源ケーブル又は通信ケーブルのみを引き出せる通線口を設ける等の構造的工夫がなされることが多い。
【０００３】
特許文献１の開口用蓋は、開口用蓋の蓋外周辺に通じた通線口を形成すると共に、この通線口と蓋内周辺の中間に、床パネルのパネル外周辺に沿う補強用凹溝部を設けている。この開口用蓋は、補強用凹溝部と通線開口が設けられない側の蓋外周辺の間で、コンセントボックス用開口の低段面に対応する部位に、係止用爪片を下向きに切り起こして形成しており、係止用爪片を低段面の面周縁に係合して、装着安定性を確保している。
【０００４】
特許文献２の開口用蓋は、床パネルのパネル外周辺に形成されるコンセントボックス用開口をパネル外周辺の直交方向外向きにのみ抜き出して取り外し可能にしている。具体的には、開口用蓋を構成する平板部と、この平板部から切り起こした舌片が係合することで、コンセントボックス用開口に対する開口用蓋の装着安定性を高めている。通線口は、蓋内周辺に設けた切取片を適宜切り取って形成する。
【０００５】
特許文献３の開口用蓋は、蓋外周辺に通線口用の溝状切欠を形成すると共に、この溝状切欠の手前側端に拡幅された幅広部を形成する一方、前記溝状切欠に囲まれていて後から切離されることにより通線口を形成するキャップ状小片を形成している。開口用蓋は、下方に向けて突出し、折り返した板バネ構造の突起片を、コンセントボックス用開口の開口周縁に形成した低段面に設けた係止切欠に係合させて、装着安定性を確保している。突起片は、開口用蓋に開口した操作穴から指で挟んで閉じることにより、係止切欠に対する係合を解除することができる。
【０００６】
特許文献４の開口用蓋は、直交関係で一体となった塞ぎ板及び通線用板からなり、前記通線用板に通先口を貫設している。この開口用蓋は、コンセントボックス用開口を塞ぎ板で塞ぎ、通線用口が必要になったときは、通線用板でコンセントボックス用開口を塞ぐようにする。コンセントボックス用開口に対する開口用蓋の装着安定性は、塞ぎ板に設けた爪を低段面に係合することにより確保している。特許文献５の開口用蓋は、前記特許文献４と似ており、直交関係で一体となった長辺板部及び短辺板部からなり、長辺板部でコンセントボックス用開口を完全に塞ぎ、短辺板部で通線口を残してコンセントボックス用開口を塞ぐようにしている。
【０００７】
【特許文献１】特開2002-315158号公報(２頁〜４頁、図１)
【特許文献２】実開平05-023732号公報(３頁〜６頁、図１〜図２)
【特許文献３】実開平06-062733号公報(５頁〜９頁、図１〜図３)
【特許文献４】特開平07-269079号公報(２頁〜４頁、図１〜図２)
【特許文献５】特開2003-41753号公報(２頁〜３頁、図３〜図12)
【発明の開示】
【発明が解決しようとする課題】
【０００８】
特許文献１の開口用蓋は、電源ケーブル又は通信ケーブルを引き出さないときでも常に通線口が開口している。このため、ハイヒールの踵が落ち込む危険性を回避するには、平均的なハイヒールの踵の直径＝８mmを超える通線口を設けることができず、通線口から引き出せる電源ケーブル又は通信ケーブルが限定されてしまう。ところが、一般のオフィスで使用されるパソコン、コピー機、テーブルタップ等の電源ケーブルは直径９mm以上のものが多い。よって、ハイヒールの踵が落ち込む危険性のない小さな通線口では、実用上ほとんど使用できず、前記電源ケーブルを引き出すためには、別途大きな通線口を設けた開口用蓋に交換する必要がある。
【０００９】
特許文献２の開口用蓋は、必要に応じて切取片を切り取って通線口を開口できるので、通線口を大きくすることができる。しかし、一度切取片を折り取ってしまうと、再び通線口を塞ぐことができず、電源ケーブル等の引き出しの必要がなくなると、ハイヒールの踵が嵌まり込む大きさの通線口が残ってしまう問題がある。これに対し、切取片は折り取らずに折り曲げて通線口を開口し、通線口が不要になれば再び切取片を曲げ戻して通線口を塞ぐことが考えられる。しかし、曲げ戻された切取片は強度低下を来しており、人や台車が頻繁に通過すると、繰り返し荷重によって切取片が疲労破壊を起こしてしまう虞れが否めない。更に、切取片は、何度も折り曲げると、最期には切り取れてしまう問題もある。
【００１０】
特許文献３の開口用蓋は、通線口を開口するために切り取ったキャップ状小片を、通線口の奥側の辺部とコンセントボックス用開口の低段面とに載置することにより、再び通線口を塞ぐことができる。しかし、これは切り取ったキャップ状小片を保管及び管理することを前提としており、手間がかかるほか、小さな部材であるキャップ状小片を紛失してしまう虞れがある。また、開口用蓋から独立したキャップ状小片は、上記特許文献２同様、繰り返し荷重によってキャップ状小片自体、場合によってはキャップ状小片を載置する周辺部分が疲労破壊を起こしてしまう問題がある。このほか、キャップ状小片は、低コストで破壊強度や耐燃性に優れる鋼板製とすることが困難で、破壊強度や耐燃性に問題がある樹脂成形品や、高コストの鋳造品にならざるを得ない問題もある。
【００１１】
特許文献４又は特許文献５の開口用蓋は、上記特許文献１〜特許文献３に見られた問題が解決されている。しかし、開口用蓋を回転させて通線用板を低段面に載置させた通線取付状態では、塞ぎ板が床パネルの底面から基礎床面に向けて突出状態で垂下されるため、通線口へ電源ケーブル又は通信ケーブルを導く配線空間を阻害し、ケーブルが損傷する虞れがある。これは、特に低床型床パネルの場合に問題となり、床高さが50mm以下の超低床型床パネルの場合には垂下した塞ぎ板が基礎床面に干渉することとなる。そこで、大きな通線口が容易に形成できると共に、通線口が不要になれば容易かつ確実に通線口を塞ぐことができ、しかも基礎床面に向けて床パネルの底面から突出する部分のない開口用蓋によりコンセントボックス用開口を塞ぐことのできる床パネルを開発するため、検討した。
【課題を解決するための手段】
【００１２】
検討の結果開発したものが、パネル外周辺からこのパネル外周辺の直交方向内向きに形成したコンセントボックス用開口を、このコンセントボックス用開口の開口周縁に形成した低段面へ着脱自在に載置される開口用蓋で閉蓋する床パネルにおいて、開口用蓋は、パネル外周辺に同方向に延びる蓋外周辺と、コンセントボックス用開口の周縁形状に倣った蓋内周辺とに囲まれた平面視形状で、この開口用蓋におけるパネル外周辺の直交方向の幅がコンセントボックス用開口におけるパネル外周辺の直交方向の幅に低段面におけるパネル外周辺の直交方向の幅を合わせた幅より所定範囲で狭くしてなり、開口用蓋及びコンセントボックス用開口それぞれに互いに係合する蓋側係合手段及び開口側係合手段を設け、開口側係合手段を蓋側係合手段の数よりパネル外周辺の直交方向に多く並設することにより、蓋側係合手段に対する開口側係合手段の組み合わせに従って、前記所定範囲内かつパネル外周辺の直交方向にずれた複数の位置で開口用蓋を選択的にコンセントボックス用開口の低段面へ着脱自在に載置される床パネルである。
【００１３】
本発明の床パネルは、コンセントボックス用開口に対し、パネル外周辺の直交方向にずれた複数の位置で開口用蓋を選択的に載置することで、前記パネル外周辺の直交方向にずれた範囲の通線口を、蓋外周辺と隣接する床パネルのパネル外周辺との間に形成する。形成される通線口は、開口用蓋におけるパネル外周辺の直交方向の幅がコンセントボックス用開口におけるパネル外周辺の直交方向の幅に低段面におけるパネル外周辺の直交方向の幅を合わせた幅より所定範囲で狭くした幅(以下、ずらし幅)を短辺、開口用蓋の蓋外周辺の長さを長辺とする略長方形状になる。これから、ずらし幅の最大は所定範囲に等しくなることから、大きな通線口を設けるには、所定範囲を大きくすればよい。
【００１４】
ここで、所定範囲を大きくしすぎると、開口用蓋を低段面に載置してコンセントボックス用開口を完全に塞ぐことができなくなり、常時開口する隙間を残してしまうことになる。そこで、所定範囲は、パネル外周辺の直交方向の低段面の幅を最大にするとよい。これにより、開口用蓋をパネル外周辺の直交方向にずらしても、ずらし幅の範囲を低段面が塞いでいることになり、隙間を残さない。この場合、ずらし幅の最大は低段面のパネル外周辺の直交方向の幅になるから、最大の通線口は、低段面のパネル外周辺の直交方向の幅を短辺、開口用蓋の蓋外周辺を長辺とする略長方形状になる。
【００１５】
実際には、床パネルの表面にはカーペット等を貼着するので、隙間が残っても外見上隠すことができるため、ハイヒールの踵が落ち込まない大きさの隙間、すなわち８mm未満であれば、常時開口していても実害はないと言える。そこで、所定範囲は、パネル外周辺の直交方向の低段面の幅と、ハイヒールの踵が落ち込まない大きさの隙間＝８mm未満の隙間との和を最大としてもよい。この場合、ずらし幅の最大は低段面のパネル外周辺の直交方向の幅と、ハイヒールの踵が落ち込まない大きさの隙間との和になるから、最大の通線口は、低段面のパネル外周辺の直交方向の幅とハイヒールの踵が落ち込まない大きさの隙間との和を短辺、開口用蓋の蓋外周辺を長辺とする略長方形状になる。
【００１６】
本発明の床パネルでは、上述の所定範囲内であれば、複数の位置で開口用蓋を選択的にコンセントボックス用開口の低段面へ着脱自在に載置できる。しかし、実用的には、コンセントボックス用開口を塞ぐ標準取付状態と、通線口を形成する通線取付状態とを実現できればよい。そこで、開口側係合手段は、開口用蓋に設けた蓋側係合手段に対し、蓋側係合手段を係合した開口用蓋が蓋外周辺をパネル外周辺に連続させる標準取付状態となる標準位置と、蓋側係合手段を係合した開口用蓋が蓋外周辺をパネル外周辺の直交方向内向きにずらした通線取付状態となる通線位置とに設けてなり、前記標準位置と通線位置とのパネル外周辺の直交方向の間隔が所定範囲以下であればよい。
【００１７】
ここで、蓋側係合手段及び開口側係合手段は、コンセントボックス用開口に対する開口用蓋の装着安定性を、選択的な複数の位置で等しく発揮できる構成の組み合わせが好ましい。こうした蓋側係合手段及び開口側係合手段としては、開口用蓋から下方に向けて突設させた突起である蓋側係合手段に対して、(a)低段面に開口した前記突起を嵌め込む嵌合孔である開口側係合手段、又は(b)開口側係合手段は低段面の面周縁に形成した前記突起を係合させる係合凹部である開口側係合手段の組み合わせが考えられる。これら蓋側係合手段である突起及び開口側係合手段である嵌合孔又は係合凹部は、例えば上述の標準位置又は通線位置に対して２カ所ずつ設け、各嵌合孔又は係合凹部に対して異なる方向から対応する突起をそれぞれ当接状態で嵌合又は係合させると、各突起と各嵌合孔又は各係合凹部との嵌合又は係合が緊密になり、コンセントボックス用開口に対する開口用蓋の装着安定性を高めることができる。
【発明の効果】
【００１８】
本発明によれば、パネル外周辺から該パネル外周辺の直交方向内向きに形成したコンセントボックス用開口を、このコンセントボックス用開口の開口周縁に形成した低段面へ着脱自在に載置される開口用蓋で閉蓋する床パネルにおいて、パネル外周辺の直交方向にずれた複数の位置、例えば蓋側係合手段を係合した開口用蓋が蓋外周辺をパネル外周辺に連続させる標準取付状態となる標準位置と、蓋側係合手段を係合した開口用蓋が蓋外周辺をパネル外周辺の直交方向内向きにずらした通線取付状態となる通線位置とに、開口用蓋を置き換えるだけで、ハイヒールの踵が落ち込む大きさの隙間を残すことなく、通線口を容易に形成し、再び塞ぐことができる。
【００１９】
上記標準位置及び通線位置の選択は、コンセントボックス用開口に対する開口用蓋の装着安定性を確保する蓋側係合手段及び開口側係合手段によって実現する。ここで、前記蓋側係合手段は開口用蓋から下方に向けて突設させた突起として、また開口側係合手段は低段面に開口した前記突起を嵌め込む嵌合孔又は低段面の面周縁に形成した係合凹部として形成でき、標準位置及び通線位置の設定は容易にできる。これにより、開口用蓋を載置する位置を増やすこともでき、必要な通線口の大きさを自由に設定できるようになる。しかも、本発明の開口用蓋は基礎床面に向けて床パネルの底面から飛び出す部分を有していないので、形成した通線口へ導く電源ケーブル又は通信ケーブルが傷つく虞れがない利点がある。
【発明を実施するための最良の形態】
【００２０】
以下、本発明の実施形態について図を参照しながら説明する。図１は本発明の開口用蓋と床パネルとの関係を表した斜視図、図２は開口用蓋を標準取付状態で装着した床パネルの平面図、図３は図２中Ａ−Ａ拡大断面図、図４は図２中Ｂ−Ｂ拡大断面図、図５は開口用蓋を通線取付状態で装着した床パネルの平面図、図６は図５中Ｃ−Ｃ拡大断面図、図７は床パネルの敷設状態を表す平面図であり、図８〜図14はそれぞれ大きさの異なる通線口４を形成した状態の床パネルを表す平面図である。
【００２１】
本例の床パネル１は、平面視正方形で、パネル外周辺11の一つにコンセントボックス等を取り付けるコンセントボックス用開口２を設けている。コンセントボックス用開口２は、装着するコンセントボックス等に合わせて、大きさ又は形状を自由に設定できる。本例のコンセントボックス用開口２は、図１に見られるように、パネル外周辺11の延在方向の長さに対し、パネル外周辺11の直交方向の幅が約半分の大きさからなる平面視略長方形である。本例では、隣接する床パネル１,１を互いのコンセントボックス用開口２が突き合わせる位置関係で並べると、両コンセントボックス用開口により平面視略正方形の開口が形成されるようにしている。これは、設置できるコンセントボックスの大きさを選択できる使用上の利点をもたらしている。低段面21は、コンセントボックス用開口２の開口周縁に沿って開口用蓋３の厚さで下がった平面で、前記開口周縁から一定幅で形成している。このコンセントボックス用開口２は、コンセントボックス等を取り付けない場合、開口用蓋３を低段面21に載置することにより塞いでいる。
【００２２】
本例の開口用蓋３は、図２に見られるように、パネル外周辺11に同方向に延びる蓋外周辺38と、コンセントボックス用開口の周縁形状に倣った蓋内周辺39とに囲まれた平面視形状の平板部31と、前記平板部31の蓋外周辺38から下向きに折り曲げて延設された補強片部32とからなる。平板部31は、コンセントボックス用開口２の開口周縁に設けた低段面21に、蓋内周辺39に続く周縁部分が接面状態で載置され、開口用蓋３本来の働きとしてコンセントボックス用開口２を塞ぐ役割を有している。これに対し、補強片部32は、低段面21上に載置されない平板部31の蓋外周辺38を補強する補強リブとしての役割を有し、開口用蓋３に荷重が加わった際、平板部31の撓みを抑制する。これから、補強片部32は、必要強度や板厚によって異なるものの、配線空間を阻害しないように床パネル１の底面から突出させない長さである必要があり、好ましくは床パネル１の厚みより幾分小さい長さにすると開口用蓋３を載置した状態での床パネル１の取り扱い性もよい。
【００２３】
開口用蓋３は、蓋側係合手段として、平板部31から切り起こした一対の突起33を下方に向けて突出させている。また、コンセントボックス用開口２は、開口側係合手段として、低段面21の面周縁を切り欠いて、一対の標準位置用係合凹部22,22と、同じく一対の通線位置用係合凹部23,23とを形成している。開口用蓋３は、突起33と選択した標準位置用係合凹部22又は通線位置用係合凹部23のいずれかとを係合させて、コンセントボックス用開口２に対して標準取付状態又は通線取付状態のいずれかで載置する。このとき、突起33は標準位置用係合凹部22又は通線位置用係合凹部23のいずれかと係合することで、特に開口用蓋３のパネル外周辺11の直交内外方向への位置規制を図り、装着安定性を高めている。
【００２４】
本例では、一対設けた突起33,33は、図３及び図４に見られるように、下方に向けて徐変に広がる「ハ」の字状の関係となるように、それぞれパネル外周辺11の延在方向に傾斜させている。これにより、開口用蓋３は、前記一対の突起33,33を低段面21の標準位置用係合凹部22又は通線位置用係合凹部23間に圧入することができ、低段面21に対する開口用蓋３の浮き上がりを防止し、コンセントボックス用開口２に対する開口用蓋３の装着安定性を高めている。標準位置用係合凹部22,22は、突起33を係合したときに開口用蓋３の蓋外周辺38がパネル外周辺11に連続させる標準取付状態となる標準位置に設けている。また、通線位置用係合凹部23,23は、突起33を係合したときに開口用蓋３の蓋外周辺38をパネル外周辺11の直交方向内向きにずらし、隣接する床パネル１との間に大きな通線口４を形成する通線取付状態となる通線位置に設けている。
【００２５】
標準取付状態では、図２に見られるように、開口用蓋３の補強片部32の外面と床パネル１のパネル外周辺11とが同一線上に揃うようにしている。このとき、上下方向にわたる通線用凹部34を補強片部32に形成しておくと、隣接する床パネル１との間に小さな通線口４を形成できる。この小さな通線口４は、主として直径８mm以下の小径コードを引き出すために用いるもので、隣接する床パネル１に装着した開口用蓋３の小さな通線口４と合わせられるようにするため、補強片部32の左右方向の中間位置に形成するとよい。通常、小さな通線口４は、床パネル１の表面に貼着されるカーペット等 (表面仕上げ材、図示省略)に覆われて塞がれる。本例の小さな通線口４は、こうしてカーペット等に塞がれた状態でも、ハイヒールの踵がカーペット等を破って落ち込む危険性がないように、８mm以下の幅に設定する。ここで、通線用凹部34を設けない場合、標準位置用係合凹部22を設ける標準位置を８mm以下の寸法で床パネル１の中央側にずらし、標準取付状態において補強片部32と隣接する床パネル１との間に蓋外周辺38の長さを長辺とする小さな通線口４が形成されるようにするとよい。通常、隣接する床パネル１,１間には１mm程度の隙間を確保した状態で敷設するから、小さな通線口４はこの隙間を含めて８mm以下の幅になるよう設定する。
【００２６】
通線取付状態では、図５に見られるように、開口用蓋３の補強片部32の外面と床パネル１のパネル外周辺11とがずれて、補強片部32と隣接する床パネル１との間に大きな通線口４が形成される。本例の通線位置用係合凹部23は、低段面21のパネル外周辺11の直交方向の幅の範囲内でずらし幅、すなわちパネル外周辺11の直交方向内向きに約７mmのずらし幅で、標準位置用係合凹部22から離れて設けている。これにより、通線取付状態では、開口用蓋３の補強片部32は床パネル１のパネル外周辺11に対して内方へ約７mm入り込んだ位置にずれる。よって、開口用蓋３の補強片部32の外側には、隣接する床パネル１,１相互間の隙間が加わって、隣接する床パネル１との間に約８mm幅を有し、更に通線用凹部34の部分では隣接する床パネル１との間に約15mm幅を有する大きな通線口４が形成される。
【００２７】
本例では、蓋外周辺38がパネル外周辺11に揃う標準取付状態と、ずらし幅だけ蓋外周辺38がパネル外周辺11より内向きに離隔する通線取付状態とを選択して、開口用蓋３をコンセントボックス用開口２の低段面21に載置することができる。ここで、通線取付状態では、低段面21の段差部24と、開口用蓋３の折り返し縁部36とが密着する位置にすることが望ましいため、開口用蓋３の移動幅は前記ずらし幅に略等しく、このずらし幅が通線口４の拡大幅となる。また、本例では、低段面21の付近に位置する両端部を、開口用蓋３の補強片部32が干渉しないように、パネル外周辺11からパネル外周辺11の直交方向内向きに引っ込めた位置に形成している。低段面21のパネル外周辺11付近に位置する両端部をどの程度引っ込めるかについてであるが、例えば標準取付状態の開口用蓋３ができるだけパネル外周辺11の直交方向外方寄りで支持されるように考慮して、開口用蓋３の補強片部32が干渉しない必要最低限の幅、すなわち開口用蓋３のずらし幅に相当する大きさだけ引っ込めるとよい。
【００２８】
低段面21に載置してコンセントボックス用開口２を閉蓋した標準取付状態又は通線取付状態のいずれでも、開口用蓋３の表面と床パネル１の表面とが面一に揃えることが望ましい。ところが、床パネル１の表面に対する低段面21の深さは、取り付けるコンセントボックス等の要求から比較的深く、実際上3.5mm程度が必要とされる。これに対し、開口用蓋３は薄くても必要強度を満足でき、実際上は1.6mm程度の板厚であればよいとされる。これから、床パネル１の表面と開口用蓋３の表面とを面一に揃えるには、開口用蓋３に何らかの嵩上げ手段が必要となる。
【００２９】
本例は、前記嵩上げ手段として、図３及び図４に見られるように、まず平板部31の蓋内周辺39のうち、パネル外周辺11の直交方向である短辺側に段押し部35,35を設けている。本例の段押し部35は、低段面21の深さと開口用蓋３の平板部31の板厚との差分だけ前記平板部31から下方へ突出させており、開口用蓋３の表面と床パネル１の表面とを面一に揃えている。この段押し部35は、開口用蓋３の表面に貼着するカーペット等により隠れるため、形状又は大きさをある程度自由に設定することができる。しかし、あまり広幅の段差部24は、経時的に劣化した前記カーペット等が落ち込んでしまう虞れがあるため、こうしたカーペット等の落ち込みを招かない程度の幅に抑えることが望ましい。
【００３０】
また、平板部31の蓋内周辺39のうちパネル外周辺11の延在方向である長辺側には、上記嵩上げ手段として、図３や図６に見られるように、折り返し縁部36を設けている。本例の折り返し縁部36は、前記蓋内周辺39のパネル外周辺11の延在方向である長辺側を、断面円弧状に連続して折り返した縁部であり、低段面21に対する接地安定性を図るほか、上記段押し部35と異なり、蓋内周辺39ぎりぎりまで段差を形成しない構造である。蓋外周辺38をパネル外周辺11に揃えた標準取付状態の開口用蓋３は、低段面21が床パネル１の表面との間に形成する段差部24から、ずらし幅の大きさを隔てて蓋内周辺39のパネル外周辺11の延在方向である長辺側を対向させる。このとき、長辺側に段押し部35同様の構造を採用すると、前記構造が形成する段差がずらし幅以上に離れた位置にできてしまう。確かに、低段面21が存在するため、ハイヒールの踵が落ち込む隙間は形成されないが、低段面21が形成する段差と開口用蓋３が形成する段差とが広がると、経時的に劣化したカーペット等が落ち込んでしまう窪みが形成されることになる。こうした大きな窪みの形成を避けるため、蓋内周辺39のパネル外周辺11の延在方向である長辺側には、できるだけ低段面21が形成する段差に接近する折り返し縁部36にすることが望ましい。
【００３１】
このほか、本例の開口用蓋３は、平板部31の略中央付近に、パネル外周辺11の延在方向に延びる補強ビード37を段押し形成しており、平板部31に作用する荷重に対する撓みを抑制している。この補強ビード37は、あくまで開口用蓋３自身の補強用であり、大きさ又は形状は自由である。しかし、本例の補強ビード37は、段押し部35や折り返し縁部36と同じ高さにすることにより、補強ビード37の両端を低段面21にまで延長して接地させるようにし、平板部31にかかる荷重を効率的に床パネル１へも伝えられるようにしている。
【００３２】
本例の開口用蓋３は、標準位置又は通線位置を選択してコンセントボックス用開口２へ載置でき、しかも補強片部32に通線用凹部34を設けていることで、開口用蓋３を取り除く場合を含めて３通りの通線態様を実現している。更に、同様なコンセントボックス用開口２及び開口用蓋３を設けた床パネル１を組み合わせることで、更に多くの通線態様を実現することができる。
【００３３】
通常のフリーアクセス床では、図７に見られるように、床パネル１相互は、コンセントボックス用開口２同士を突き合わせないように、同じ向きに揃えて敷設する。この場合、図８に見られるように、開口用蓋３が標準位置にあれば、通線用凹部34と隣接する床パネル１のパネル外周辺11によって囲まれた小さな通線口４のみが開口する。この小さな通線口４には、例えば直径６mmの同軸ケーブルＣ１が３本通線できるのみである。これに対し、開口用蓋３を通線位置へずらせば、図９に見られるように、開口用蓋３の蓋外周辺38が隣接する床パネル１のパネル外周辺11から離隔し、前記小さな通線口４を含む大きな通線口４が形成される。この大きな通線口４には、直径13mmのテーブルタップ用ケーブルＣ２が２本通せるほか、直径６mmの同軸ケーブルＣ1が前記テーブルタップ用ケーブルＣ2の左右に７本づつ、計14本通線できる。
【００３４】
コンセントボックス用開口２同士を突き合わせて床パネル１相互を敷設した場合、次のような通線態様も実現できる。例えば、図10に見られるように、各床パネル１,１それぞれの開口用蓋３,３に設けた通線用凹部34,34が突き合わさり、上記小さな通線口４単独では挿通不可能だったテーブルタップ用ケーブルＣ２を２本挿通できるようになる。また、図11に見られるように、突き合わせた開口用蓋３の一方を通線取付状態にすると、挿通できる同軸ケーブルＣ1は18本まで増やすことができる。更に、図12に見られるように、残る他方の開口用蓋３もずらして通線取付状態にすると、各通線用凹部34,34を除いてもテーブルタップ用ケーブルＣ2の挿通が可能となる上、同軸ケーブルＣ1であれば２列分も挿通できる。この場合、通線用凹部34,34同士を合わせた部分では、テーブルタップ用ケーブルＣ2が２列で挿通できる。
【００３５】
通線用凹部34は、例えば、図７に見られるように、別段床パネル１のパネル外周辺11に通線用凹部12として形成してもよい。この場合、図13に見られるように、開口用蓋３の通線用凹部34と隣接する床パネル１のパネル外周辺11に形成した通線用凹部12とを突き合わせることで、上述したような通線態様を実現することができる。この場合、床パネル１のパネル外周辺11に形成した通線用凹部12は動かすことができないが、図14に見られるように、開口用蓋３を通線取付状態にすることで、通線口４を拡大することができる。
【図面の簡単な説明】
【００３６】
【図１】本発明の開口用蓋と床パネルとの関係を表した斜視図である。
【図２】開口用蓋を標準取付状態で装着した床パネルの平面図である。
【図３】図２中Ａ−Ａ拡大断面図である。
【図４】図２中Ｂ−Ｂ拡大断面図である。
【図５】開口用蓋を通線取付状態で装着した床パネルの平面図である。
【図６】図５中Ｃ−Ｃ拡大断面図である。
【図７】床パネルの敷設状態を表す平面図である。
【図８】通線口を形成した状態の床パネルを表す平面図である。
【図９】通線口を形成した状態の床パネルを表す平面図である。
【図１０】通線口を形成した状態の床パネルを表す平面図である。
【図１１】通線口を形成した状態の床パネルを表す平面図である。
【図１２】通線口を形成した状態の床パネルを表す平面図である。
【図１３】通線口を形成した状態の床パネルを表す平面図である。
【図１４】通線口を形成した状態の床パネルを表す平面図である。
【符号の説明】
【００３７】
１  床パネル
11  パネル外周辺
12  パネル外周辺の通線用凹部
２  コンセントボックス用開口
21  低段面
22 標準位置用係合凹部
23 通線位置用係合凹部
24  段差部
３  開口用蓋
31  平板部
32  補強片部
33  突起
34  通線用凹部
35  段押し部
36  折り返し縁部
37  補強ビード
38  蓋外周辺
39  蓋内周辺
４  通線口
C1  直径６mmの同軸ケーブル
C2  直径13mmのテーブルタップ用ケーブル
【図１】
2005232808.tif 000003
【図２】
2005232808.tif 000004
【図３】
2005232808.tif 000005
【図４】
2005232808.tif 000006
【図５】
2005232808.tif 000007
【図６】
2005232808.tif 000008
【図７】
2005232808.tif 000009
【図８】
2005232808.tif 000010
【図９】
2005232808.tif 000011
【図１０】
2005232808.tif 000012
【図１１】
2005232808.tif 000013
【図１２】
2005232808.tif 000014
【図１３】
2005232808.tif 000015
【図１４】
2005232808.tif 000016